(57)【要約】  【課題】  より細かい液晶パネルの表示検査が可能であるＴＶ表示用の液晶表示装置、液晶モジュール、ＩＣ及びＴＶ表示用の液晶表示装置の検査方法を提供する。  【解決手段】  ＯＳＤ表示部５は記憶部６にＯＳＤ表示用のデジタルフォントデータとして格納されている画像パターンＦ１、Ｆ２を液晶パネルＬＣＰの画素数にあわせて敷き詰めたテストパターンデータＴＰを作成し、パネルプロセッサ３に送り、液晶パネルＬＣＰに表示する。【選択図】      図２
2006013932.tif 000002
【特許請求の範囲】
【請求項１】
アナログの映像信号を直接入力することができる液晶モジュールを備えたＴＶ用液晶表
示装置において、
前記液晶モジュールは映像を表示するための液晶パネルと、
前記液晶パネルに取り付けられたソース電極の制御を行うソースドライバと、
前記液晶パネルに取り付けられたゲート電極の制御を行うゲートドライバと、
アナログの映像信号をデジタルの映像信号に変換するビデオプロセッサと、
前記ビデオプロセッサにて変換されたデジタル映像信号の表示サイズ、表示形式を変換
するスケーリングプロセッサと、
前記スケーリングプロセッサにて変換されたデジタル映像信号を前記液晶パネルの特性
に合わせて調整するパネルプロセッサと、
前記パネルプロセッサにて調整された映像信号を基に前記ソースドライバ及び前記ゲー
トドライバの駆動タイミング信号を作成、出力するタイミングコントローラと、
前記外部より入力される映像信号によるものとは異なる映像データを作成するためのＯ
ＳＤ表示部と、
各種情報を格納する記憶部とを有しており、
前記ビデオプロセッサ、前記スケーリングプロセッサ、前記パネルプロセッサ、前記タ
イミングコントローラ、前記ＯＳＤ表示部及び前記記憶部は１個のＩＣに含まれており、
前記ＩＣには該ＩＣに含まれる各構成部を制御するマイコンが備えられており、
前記記憶部には画像パターンがＯＳＤ表示用のデジタルフォントデータとして格納され
ていると共に、任意の画像パターンをデジタルフォントデータとして格納することができ
、
前記液晶モジュールの表示検査時に前記ＯＳＤ表示部で前記記憶部に格納された画像パ
ターンを前記液晶パネルの大きさに合わせ、所定の順序で並べたテストパターンデータを
作成し、該テストパターンデータをデジタル映像信号として前記パネルプロセッサに送る
ことで、前記液晶パネルに前記テストパターンを表示することを特徴とするＴＶ用液晶表
示装置。
【請求項２】
アナログの映像信号をデジタルの映像信号に変換するビデオプロセッサと、
前記ビデオプロセッサにて変換されたデジタル映像信号の表示サイズ、表示形式を変換
するスケーリングプロセッサと、
前記スケーリングプロセッサにて変換されたデジタル映像信号を前記液晶パネルの特性
に合わせて調整するパネルプロセッサと、
前記パネルプロセッサにて調整された映像信号を基にマトリクス駆動用のタイミング信
号を作成、出力するタイミングコントローラと、
前記外部より入力される映像信号によるものとは異なる映像を表示するためのＯＳＤ表
示部と、
各種情報を格納する記憶部と、
前記各構成部を制御するマイコンとを有しており、
前記記憶部には画像パターンがＯＳＤ表示用のデジタルフォントデータとして格納され
ていると共に、任意の画像パターンをデジタルフォントデータとして格納することができ
、
前記液晶モジュールの表示検査時に前記ＯＳＤ表示部で前記記憶部に格納された画像パ
ターンを所定の順序で並べてテストパターンデータを作成し、該テストパターンデータを
デジタル映像信号として前記パネルプロセッサに送り、前記タイミングコントローラで前
記駆動タイミング信号を出力することを特徴とするＩＣ。
【請求項３】
アナログの映像信号を直接入力することができる液晶モジュールにおいて、
映像を表示するための液晶パネルと、
前記液晶パネルに取り付けられたソース電極の制御を行うソースドライバと、
前記液晶パネルに取り付けられたゲート電極の制御を行うゲートドライバと、
アナログの映像信号をデジタルの映像信号に変換するビデオプロセッサと、
前記ビデオプロセッサにて変換されたデジタル映像信号の表示サイズ、表示形式を変換
するスケーリングプロセッサと、
前記スケーリングプロセッサにて変換されたデジタル映像信号を前記液晶パネルの特性
に合わせて調整するパネルプロセッサと、
前記パネルプロセッサにて調整された映像信号を基に前記ソースドライバ及び前記ゲー
トドライバの駆動タイミング信号を作成、出力するタイミングコントローラと、
前記外部より入力される映像信号によるものとは異なる映像を表示するためのＯＳＤ表
示部と、
各種情報を格納する記憶部とを有しており、
前記ビデオプロセッサ、前記スケーリングプロセッサ、前記パネルプロセッサ、前記タ
イミングコントローラ、前記ＯＳＤ表示部及び前記記憶部は１個のＩＣに含まれており、
前記ＩＣには該ＩＣの各構成部を制御するマイコンを備えており、
前記記憶部には画像パターンがデジタルフォントデータとして格納されていると共に、
任意の画像パターンをデジタルフォントデータとして格納することができ、
前記液晶モジュールの表示検査時に前記ＯＳＤ表示部で前記記憶部に格納された画像パ
ターンを前記液晶パネルの大きさに合わせ、所定の順序で並べてテストパターンデータを
作成し、該テストパターンデータをデジタル映像信号として前記パネルプロセッサに送る
ことで、前記液晶パネルに前記テストパターンを表示することを特徴とする液晶モジュー
ル。
【請求項４】
アナログの映像信号を直接入力することができる液晶モジュールを備えた液晶表示装置
の検査方法において、
アナログの映像信号をデジタルの映像信号に変換する映像変換ステップと、
前記映像変換ステップにて変換されたデジタル映像信号の表示サイズ、表示形式を変換
するサイズ変換ステップと、
前記サイズ変換ステップにて変換されたデジタル映像信号を液晶パネルの特性に合わせ
て調整する映像調整ステップと、
前記映像調整ステップにて調整された映像信号を基に前記液晶パネルの駆動タイミング
信号を作成、出力する信号同期ステップと、
前記外部より入力される映像信号によるものとは異なる映像データを作成するためのＯ
ＳＤ表示ステップとを有しており、
前記液晶モジュールの表示検査時に前記ＯＳＤ表示ステップは記憶部に格納された画像
パターンを前記液晶パネルの大きさに合わせ、所定の順序で並べたテストパターンをデジ
タル映像信号として作成し、
前記映像調整ステップにて前記デジタル映像信号を前記液晶パネルの特性に合わせて調
整し、前記信号同期ステップにて前記液晶パネルの駆動タイミング信号を作成、出力する
ことで、
前記液晶パネルに前記テストパターンを表示することを特徴とする液晶表示装置の検査方
法。
【発明の詳細な説明】
【技術分野】
【０００１】
本発明はＴＶ用液晶表示装置の画像の検査方法及びその検査方法を有する液晶表示装置
、液晶モジュール、ＩＣに関し、特に、ＯＳＤ表示手段を利用するものに関するものであ
る。
【背景技術】
【０００２】
近年、ＴＶ受像機の表示装置として液晶表示装置を用いたものが多く出回ってきている
。ＴＶ用液晶表示装置は液晶モジュールを有している。図５に従来の液晶モジュールの概
略配置図を示す。
【０００３】
図５に示す液晶モジュールＢは、タイミングコントローラ８１と、液晶パネルＬＣＰと
、液晶パネルＬＣＰに取り付けられたソース電極の電圧を制御するソースドライバＳＤと
、ゲート電極の電圧を制御するゲートドライバＧＤとを有している。
【０００４】
液晶モジュールＢには外部よりデジタル信号が入力され、タイミングコントローラ４に
て、ソースドライバＳＤ及びゲートドライバＧＤの液晶駆動用の信号に変換し、ソースド
ライバＳＤ及びゲートドライバＧＤに入力することで液晶パネルの表示を行っている。
【０００５】
地上波テレビ放送や衛星放送の放送信号はアナログであり、液晶モジュールＢの外部に
は、前記アナログの放送信号（コンポジット信号、コンポーネント信号等）を液晶モジュ
ールＢで表示するためのデジタル信号に変換する信号変換部８２が備えられている。
【０００６】
この構成の場合、前記液晶表示装置は液晶モジュールＢ以外に信号変換部８２が必要で
あり、部材の構成点数が多くなる。そこで、上述のタイミングコントローラ４と信号変換
部とを１チップのＩＣとするものが提案されている。図６に１チップＩＣを有する液晶モ
ジュールの概略配置図を示す。
【０００７】
図６に示す液晶モジュールＣは液晶パネル、ソースドライバ及びゲートドライバは図５
に示す液晶モジュールＢと同一であり、同じ符号が付してある。液晶モジュールＣは１チ
ップＩＣを有しており、１チップＩＣには外部より入力されてきた放送信号を映像信号に
変換するビデオプロセッサ９１と、映像のサイズや方式等を変更するスケーリングプロセ
ッサ９２、液晶パネルＬＣＰの表示状態に合わせて映像の輝度、色彩等を調節するパネル
プロセッサ９３と、映像信号をソースドライバＳＤ及びゲートドライバＧＤに送る液晶駆
動用の駆動タイミング信号に変換し、出力するタイミングコントローラ９４とを有してい
る。
【０００８】
ビデオプロセッサ９１には図示を省略しているが、アナログの信号をデジタルの信号に
変換する変換部が含まれており、外部からの入力信号をデジタル信号に変換した後、映像
信号に変換する。このことより、液晶モジュールＣにはアナログの放送信号を直接入力す
ることができ、図５に示す液晶モジュールＢのように外部に信号変換部を備える必要がな
く、部材数を抑えることができそれだけ簡単な構造とすることができる。
【特許文献１】特開平１１−６９８７号公報
【発明の開示】
【発明が解決しようとする課題】
【０００９】
しかしながら、液晶モジュールＣを利用する場合、液晶モジュールＣの検査を行うのに
、外部にテストパターン信号を発生するテストパターン信号発生装置９５を接続しなくて
はならない。テストパターン信号発生装置９５は液晶モジュールＣの検査のみに使うテス
トパターン信号だけ出力するものであり効率が悪い。
【００１０】
このときテストパターン信号発生装置９５から液晶モジュールＣに入力されるテストパ
ターン信号はアナログ信号であり、デジタル信号に比べて、以下に箇条書きするような問
題点を有している。
１．アナログ信号はデジタル信号に比べて、表示が鮮明ではない。
２．画面上にアナログノイズが発生しやすい。
３．階調表示が正確ではないため、ソースドライバの特定階調における不具合が発見でき
ない場合がある。
４．シビアなフリッカー（ちらつき）の調整を行うことができない。
５．アナログ信号の場合サブピクセル単位での表示パターンを作成することができない。
６．液晶表示部の正確な特性測定を行うことができない。
【００１１】
そこで本発明は、デジタル映像信号を用いることで、細かい液晶パネルの表示検査を行
うことが可能であるＴＶ表示用の液晶表示装置、液晶モジュール、ＩＣ及びＴＶ表示用の
液晶表示装置の検査方法を提供することを目的とする。
【課題を解決するための手段】
【００１２】
上述の目的を達成するために請求項１にかかる発明は、アナログの映像信号を直接入力
することができる液晶モジュールを備えたＴＶ用液晶表示装置において、前記液晶モジュ
ールは映像を表示するための液晶パネルと、前記液晶パネルに取り付けられたソース電極
の制御を行うソースドライバと、前記液晶パネルに取り付けられたゲート電極の制御を行
うゲートドライバと、アナログの映像信号をデジタルの映像信号に変換するビデオプロセ
ッサと、前記ビデオプロセッサにて変換されたデジタル映像信号の表示サイズ、表示形式
を変換するスケーリングプロセッサと、前記スケーリングプロセッサにて変換されたデジ
タル映像信号を前記液晶パネルの特性に合わせて調整するパネルプロセッサと、前記パネ
ルプロセッサにて調整された映像信号を基に前記ソースドライバ及び前記ゲートドライバ
の駆動タイミング信号を作成、出力するタイミングコントローラと、前記外部より入力さ
れる映像信号によるものとは異なる映像データを作成するためのＯＳＤ表示部と、各種情
報を格納する記憶部とを有しており、前記ビデオプロセッサ、前記スケーリングプロセッ
サ、前記パネルプロセッサ、前記タイミングコントローラ、前記ＯＳＤ表示部及び前記記
憶部は１個のＩＣに含まれており、前記ＩＣには該ＩＣに含まれる各構成部を制御するマ
イコンが備えられており、前記記憶部には画像パターンがＯＳＤ表示用のデジタルフォン
トデータとして格納されていると共に、任意の画像パターンをデジタルフォントデータと
して格納することができ、前記液晶モジュールの表示検査時に前記ＯＳＤ表示部で前記記
憶部に格納された画像パターンを前記液晶パネルの大きさに合わせ、所定の順序で並べた
テストパターンデータを作成し、該テストパターンデータをデジタル映像信号として前記
パネルプロセッサに送ることで、前記液晶パネルに前記テストパターンを表示することを
特徴とする。
【００１３】
この構成によると、前記液晶表示装置では外部よりの映像信号入力はアナログの映像信
号であり、前記液晶モジュールの検査用のテストパターンデータの信号は内部よりデジタ
ル信号で発信され、前記液晶パネルに表示される。
【００１４】
これにより、前期液晶表示装置はテストパターンを鮮明でノイズによる影響が少なくな
るように表示することが可能である。また、正確な階調を表示することが可能である。さ
らに、フリッカー検査用の表示を行う場合でも、シビアなフリッカー表示が可能でありそ
れだけ、微調整が可能である。液晶の表示方式の特性にあっているので、前記液晶パネル
の正確な特性測定が可能である。
【００１５】
また、前記液晶モジュールの外部にアナログ映像信号をデジタル映像信号に変換する信
号変換装置が不要であるので、無駄な装置及び配線を減らすことができるので、構造を簡
単にすることができると共に、製造も簡単になる。それだけ、製造コストを削減すること
ができる。
【００１６】
上述の目的を達成するために請求項２にかかる発明は、アナログの映像信号をデジタル
の映像信号に変換するビデオプロセッサと、前記ビデオプロセッサにて変換されたデジタ
ル映像信号の表示サイズ、表示形式を変換するスケーリングプロセッサと、前記スケーリ
ングプロセッサにて変換されたデジタル映像信号を前記液晶パネルの特性に合わせて調整
するパネルプロセッサと、前記パネルプロセッサにて調整された映像信号を基にマトリク
ス駆動用のタイミング信号を作成、出力するタイミングコントローラと、前記外部より入
力される映像信号によるものとは異なる映像を表示するためのＯＳＤ表示部と、各種情報
を格納する記憶部と、前記各構成部を制御するマイコンとを有しており、前記記憶部には
画像パターンがＯＳＤ表示用のデジタルフォントデータとして格納されていると共に、任
意の画像パターンをデジタルフォントデータとして格納することができ、前記液晶モジュ
ールの表示検査時に前記ＯＳＤ表示部で前記記憶部に格納された画像パターンを所定の順
序で並べてテストパターンデータを作成し、該テストパターンデータをデジタル映像信号
として前記パネルプロセッサに送り、前記タイミングコントローラで前記駆動タイミング
信号を出力することを特徴とするＩＣを提供する。
【００１７】
この構成によると、外部よりの映像信号入力はアナログの映像信号であり、前記液晶モ
ジュールの検査用のテストパターンデータの信号は内部よりデジタル信号で発信される。
外部より入力される映像信号はアナログ信号で、テストパターンはデジタル信号を利用し
ているので、表示検査を精密に行うことができる。
【００１８】
また、前記ＩＣより出力される信号はマトリクス方式の画像データであり、マトリクス
方式の画像表示装置（プラズマディスプレイ、ＥＬディスプレイ等）のモジュール用のＩ
Ｃとしても利用することが可能である。
【００１９】
上述の目的を達成するために請求項３にかかる発明は、アナログの映像信号を直接入力
することができる液晶モジュールにおいて、映像を表示するための液晶パネルと、前記液
晶パネルに取り付けられたソース電極の制御を行うソースドライバと、前記液晶パネルに
取り付けられたゲート電極の制御を行うゲートドライバと、アナログの映像信号をデジタ
ルの映像信号に変換するビデオプロセッサと、前記ビデオプロセッサにて変換されたデジ
タル映像信号の表示サイズ、表示形式を変換するスケーリングプロセッサと、前記スケー
リングプロセッサにて変換されたデジタル映像信号を前記液晶パネルの特性に合わせて調
整するパネルプロセッサと、前記パネルプロセッサにて調整された映像信号を基に前記ソ
ースドライバ及び前記ゲートドライバの駆動タイミング信号を作成、出力するタイミング
コントローラと、前記外部より入力される映像信号によるものとは異なる映像を表示する
ためのＯＳＤ表示部と、各種情報を格納する記憶部とを有しており、前記ビデオプロセッ
サ、前記スケーリングプロセッサ、前記パネルプロセッサ、前記タイミングコントローラ
、前記ＯＳＤ表示部及び前記記憶部は１個のＩＣに含まれており、前記ＩＣには該ＩＣの
各構成部を制御するマイコンを備えており、前記記憶部には画像パターンがデジタルフォ
ントデータとして格納されていると共に、任意の画像パターンをデジタルフォントデータ
として格納することができ、  前記液晶モジュールの表示検査時に前記ＯＳＤ表示部で前
記記憶部に格納された画像パターンを前記液晶パネルの大きさに合わせ、所定の順序で並
べてテストパターンデータを作成し、該テストパターンデータをデジタル映像信号として
前記パネルプロセッサに送ることで、前記液晶パネルに前記テストパターンを表示するこ
とを特徴とする液晶モジュールを提供する。
【００２０】
この構成によると、外部よりの映像信号入力はアナログの映像信号であり、前記液晶モ
ジュールの検査用のテストパターンデータの信号は内部よりデジタル信号で発信される。
外部より入力される映像信号はアナログ信号で、テストパターンはデジタル信号を利用し
ているので、外部に信号変換装置が不要であると共に検査を精密に行うことができる。
【００２１】
このことより、前記液晶モジュールを液晶表示装置に組み立てることなく、液晶モジュ
ール及び液晶パネルの表示検査を行うことができるので、検査にかかるコストを低減する
ことができる。
【００２２】
上述の目的を達成するために請求項４にかかる発明は、アナログの映像信号を直接入力
することができる液晶モジュールを備えた液晶表示装置の検査方法において、アナログの
映像信号をデジタルの映像信号に変換する映像変換ステップと、前記映像変換ステップに
て変換されたデジタル映像信号の表示サイズ、表示形式を変換するサイズ変換ステップと
、前記サイズ変換ステップにて変換されたデジタル映像信号を液晶パネルの特性に合わせ
て調整する映像調整ステップと、前記映像調整ステップにて調整された映像信号を基に前
記液晶パネルの駆動タイミング信号を作成、出力する信号同期ステップと、前記外部より
入力される映像信号によるものとは異なる映像データを作成するためのＯＳＤ表示ステッ
プとを有しており、前記液晶モジュールの表示検査時に前記ＯＳＤ表示ステップは記憶部
に格納された画像パターンを前記液晶パネルの大きさに合わせ、所定の順序で並べたテス
トパターンをデジタル映像信号として作成し、前記映像調整ステップにて前記デジタル映
像信号を前記液晶パネルの特性に合わせて調整し、前記信号同期ステップにて前記液晶パ
ネルの駆動タイミング信号を作成、出力することで、前記液晶パネルに前記テストパター
ンを表示することを特徴とする。
【００２３】
この構成によると、外部よりの映像信号入力はアナログの映像信号であり、前記液晶モ
ジュールの検査用のテストパターンデータの信号は内部よりデジタル信号で発信される。
外部より入力される映像信号はアナログ信号で、テストパターンはデジタル信号を利用し
ているので、液晶モジュール及び液晶パネルの表示検査を精密に行うことができる。
【発明の効果】
【００２４】
本発明によると内部でデジタルの検査用表示データを生成し、それをデジタル映像信号
とすることができ、それだけ、より細かい液晶パネルの表示検査を行うことが可能である
ＴＶ表示用の液晶表示装置、液晶モジュール、ＩＣ及びＴＶ表示用の液晶表示装置の検査
方法を提供することができる。
【発明を実施するための最良の形態】
【００２５】
本発明を実施するための最良の形態について図面を参照して説明する。図１に本発明に
かかるＴＶ表示用液晶表示装置に用いられる液晶モジュールの概略配置図を示す。図１に
示す液晶モジュールＡは、ビデオプロセッサ１、スケーリングプロセッサ２、パネルプロ
セッサ３、タイミングコントローラ４、ＯＳＤ表示部５及び記憶部６と、以上の各構成部
を制御するマイコン７とを有するＩＣと、液晶パネルＬＣＰと、ゲートドライバＧＤと、
ソースドライバＳＤとを有している。
【００２６】
液晶パネルＬＣＰは図示を省略したゲート電極とソース電極とを有しており、ゲート電
極はゲートドライバＧＤからの信号を基に、ソース電極はソースドライバＳＤからの信号
を基に、それぞれ駆動される。ゲート電極及びソース電極は液晶のピクセルごとに電圧を
印加でき、ゲート電極とソース電極の間に所定の電圧が印加されることで、液晶パネルＬ
ＣＰに画像が表示される。
【００２７】
図２に図１に示す液晶モジュールに利用されているＩＣの概略配置図を示す。図２に示
すＩＣは上述のとおりビデオプロセッサ１、スケーリングプロセッサ２、パネルプロセッ
サ３、タイミングコントローラ４、ＯＳＤ表示部５及び記憶部６及びこれらを制御するマ
イコン７を備えている。
【００２８】
ビデオプロセッサ１は外部より受信したアナログ映像信号（例えば、アナログコンポジ
ット信号ＣＶＢＳ、Ｙ／Ｃ、アナログコンポーネント信号Ｙ／Ｃｂ／Ｃｒ等）の信号のク
ランプ処理、ノイズカット、ゲイン調節等をした後にデジタル化しデジタル映像信号に変
換するデジタル変換部１１と、デジタル変換部１１で変換されたデジタル映像信号の輝度
情報（Ｙ）、色情報（Ｃ）を分離し、色情報を基に色データを復調させたり、デジタル映
像信号に含まれるコンポーネント情報を同期、分離したりしてデジタルＴＶ信号へ変換す
る信号処理部１２と、信号処理部１２にて出力されたデジタルＴＶ信号のコントラスト、
ブライト、カラー＆ティントの調整及び白黒伸長、肌色補正の補正を必要に応じておこな
い、マトリクスデータ状のデジタル映像信号に変換するＴＶ信号処理部１３とを有してい
る。
【００２９】
スケーリングプロセッサ２では、ビデオプロセッサ１より出力されたデジタル映像信号
の水平縮小、拡大縮小、プログレッシブ変換を必要に応じて行う。パネルプロセッサ３は
、スケーリングプロセッサ２にて変換されたデジタル映像信号を表示部である液晶表示パ
ネルＬＣＰの特性に合わせて変換するものであり、アスペクト比の変更、画像の輪郭補正
、彩度の調整、ガンマ補正、ブライトコントラスト調整の操作を必要に応じて行うもので
ある。また、後述のＯＳＤ表示部５からのデジタル映像信号をスケーリングプロセッサ２
からのデジタル映像信号と合成するミックス操作も行われる。
【００３０】
タイミングコントローラ４は、パネルプロセッサ３にて液晶パネルＬＣＰの特性に合わ
せて調整されたデジタル映像信号を基に、液晶パネルＬＣＰの駆動を行うゲートドライバ
ＧＤ及びソースドライバＳＤを駆動するための駆動タイミング信号を作成、出力する。
【００３１】
ＯＳＤ表示部５はパネルプロセッサ３と接続しており、記憶部６に格納されているフォ
ントデータを用いて液晶パネルＬＣＰに、それには限定されないが、例えば、音量、ＴＶ
の受信チャンネル、時間等の情報を表示するものである。ＯＳＤ表示部５による液晶パネ
ルＬＣＰへの表示はスケーリングプロセッサ２よりパネルプロセッサ３に入力されるデジ
タル映像信号による映像の上に合成して表示される。デジタル映像信号がパネルプロセッ
サ３に入力されていないときは、液晶パネルＬＣＰにＯＳＤ表示部５による表示のみが表
示される。
【００３２】
また、ＯＳＤ表示部５は記憶部６にＯＳＤ表示用のデジタルフォントデータとして格納
されている画像パターンを液晶パネルＬＣＰの画素数にあわせて敷き詰めたテストパター
ンデータを作成する。図３に液晶パネルに表示するテストパターンの一例を、図４（Ａ）
、（Ｂ）に図３に示すテストパターンを表示するのに使用するデジタルフォントの拡大図
を示す。
【００３３】
図３に示すテストパターンＴＰは、フリッカー調整用のテストパターンである。フリッ
カーとはちらつきのことであり、液晶パネルＬＣＰでは色の配置によってはフリッカーが
発生する場合がある。図３に示すように液晶パネルＬＣＰの表示面は表示エリアＨＡとビ
ューイングエリアＶＡとを有している。図３に示すテストパターンＴＰは表示エリアＨＡ
を３×３の９等分し、互いに隣り合う領域には異なるパターンが敷き詰められている。そ
れには限られないがここでは、４隅及び中央に配置される領域を第１の領域Ｒ１とし、残
りの領域を第２の領域Ｒ２としている。
【００３４】
図４各図に示すようにデジタルフォントは１６×２０ドットであり、２種類のフォント
（第１のフォントＦ１、第２のフォントＦ２）が用意されている。２種類のフォントＦ１
、Ｆ２はいずれもドットごとに２色を交互に配置したフォントである。いずれのフォント
も、それには限定されないがここでは、緑Ｇｒ（ＲＧＢで表すと：０，４７，０）、マゼ
ンタＭｇ（ＲＧＢ：４７，０，４７）の２色が使われている。
【００３５】
図４（Ａ）、（Ｂ）に示すようにフォントは背景ＢＧと文字ＣＨとに別れており、第１
のフォントＦ１は背景ＢＧが緑Ｇｒで文字ＣＨがマゼンタＭｇであり（図４（Ａ）参照）
、第２のフォントＦ２は背景ＢＧがマゼンタＭｇで文字ＣＨが緑Ｇｒである（図４（Ｂ）
参照）。この第１のフォントＦ１で図３に示す第１の領域Ｒ１を埋め尽くし、第２のフォ
ントＦ２で第２の領域Ｒ２を埋め尽くすことでフリッカー検査用のテストパターンＴＰが
形成される。このテストパターンＴＰを液晶パネルＬＣＰに表示することでフリッカーの
検査を行うことができる。
【００３６】
図３、４に示すフリッカー検査用のテストパターンＴＰ及びフォントデータＦ１、Ｆ２
は１ドットごとに緑ＧｒとマゼンタＭｇが入れ替わっているものである。このテストパタ
ーンＴＰをアナログ映像データとして形成し、液晶モジュールＡに送った場合、アナログ
データの特性上ドットごとに異なる色を配置した画像ではなく、構成する色（ここでは、
緑ＧｒとマゼンタＭｇ）を混ぜ合わせた色になりフリッカー用のテストパターンを表示す
るのは不可能である。
【００３７】
デジタルデータの場合ドットごとに色を指定しており、そのデータを直接パネルプロセ
ッサ３にデジタル信号として入力する。パネルプロセッサ３はこのデジタル信号を液晶パ
ネルＬＣＰの特性に合わせて調整した後、タイミングコントローラ４に贈るので、画像の
乱れがない状態でテストパターンを表示することができる。
【００３８】
また、デジタル信号の場合、ノイズの影響を受けにくく、減衰もないので鮮明な表示を
することができる。また、ドット単位で正確な色を表示することができるので正確な階調
表示が可能であり、それだけ、ソースドライバＳＤの不具合の発見も容易である。
【００３９】
上述の実施例では記憶部６に格納されているデジタルフォントデータは１６×２０ドッ
トで構成されるものであるが、それに限定されるものではなく、より大きなものであって
も、より小さなものであってもよい。デジタルフォントデータの大きさは、液晶パネルの
表示領域を過不足なく埋め尽くすことができるものが好ましい。また、テストパターンＴ
Ｐは９分割しているものを例示しているが、それに限定されるものではなく、検査方法に
あわせて適宜分割されるものである。
【００４０】
上述の実施例では本発明にかかる検査方法をフリッカーの検査に用いたものを例に説明
しているが、それに限定されるものではなく、液晶パネルＬＣＰの原色である赤、緑、青
一色のものや、それぞれの階調表示、グレイスケール表示等ドットで表示できるものを広
く採用することがきる。またフリッカー以外にもドット単位で画像データを形成できるの
でより細かい検査を行うことが可能である。以上のような表示を行うことで液晶パネルＬ
ＣＰの画素のトラブル、ソースドライバＳＤの特定階調における不具合、滅点の確認、輝
点・いろむらの確認等の液晶モジュールＡのあらゆる検査を行うことができる。
【００４１】
また、記憶部６に予め格納されているデジタルフォント以外にも、検査法によって使用
者（検査者）が必要に応じて作成した画像データをデジタルフォントデータとして、記憶
部６に格納することが可能であり、予め記憶部６に格納されていた画像データと共に任意
に配置することでテストパターンを作成することができる。
【００４２】
以上に示した実施例では画像表示部として液晶パネルを用いた液晶表示装置、液晶モジ
ュールを例に説明しているが、それに限定されるものではなく、マトリクス方式で表示さ
れる画像表示装置（プラズマディスプレイ、ＥＬディスプレイ等）に広く採用することが
できる。
【図面の簡単な説明】
【００４３】
【図１】本発明にかかる液晶モジュールの一例の概略配置図である。
【図２】本発明にかかるＩＣの概略配置図である。
【図３】本発明にかかる液晶表示検査方法で用いられるテストパターンである。
【図４】図３に示すテストパターンを構成する第１フォント及び第２フォントである。
【図５】従来の液晶モジュールの一例の概略配置図である。
【図６】従来の液晶モジュールの一例の概略配置図である。
【符号の説明】
【００４４】
Ａ、Ｂ、Ｃ  液晶モジュール
１  パネルプロセッサ
１１  デジタル変換部
１２  信号処理部
１３  ＴＶ信号処理部
２  スケーリングプロセッサ
３  パネルプロセッサ
４  タイミングコントローラ
５  ＯＳＤ表示部
６  記憶部
７  マイコン
ＴＰ  テストパターン
Ｆ１  第１のフォント
Ｆ２  第２のフォント
ＬＣＰ  液晶パネル
ＳＤ  ソースドライバ
ＧＤ  ゲートドライバ
【図１】
2006013932.tif 000003
【図２】
2006013932.tif 000004
【図３】
2006013932.tif 000005
【図４】
2006013932.tif 000006
【図５】
2006013932.tif 000007
【図６】
2006013932.tif 000008